【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
マススペクトロメトリーのための装置であって、
・トリガパルスと同期して局所化された分析物部位を生成するための部位発生器と、
・局所化された前記分析物部位を搬送するために前記部位発生器と接続された搬送システムと、
・受け取った分析物部位をプラズマによって気化、霧化およびイオン化するために前記搬送システムと接続されたプラズマイオン化ユニットと、
・受け取った分析物部位の元素含有物を分析するために前記プラズマイオン化ユニットと接続され、少なくとも１つの検出器を有する質量分析器と、
・前記少なくとも１つの検出器により生成された信号を収集するために、前記少なくとも１つの検出器と接続されたデータ収集エレクトロニクスデバイスと、
を備える、マススペクトロメトリーのための装置において、
部位発生と検出との間で分析すべき前記分析物部位に生じる遅延を考慮するために、信号遅延装置が設けられており、該信号遅延装置は、前記トリガパルスを受け取り、該トリガパルスに対応する遅延された信号を供給することを特徴とする、
マススペクトロメトリーのための装置。
【請求項２】
前記プラズマイオン化ユニットは、受け取った分析物部位を誘導結合プラズマによって気化、霧化およびイオン化するための誘導結合プラズマユニットである、
請求項１記載の装置。
【請求項３】
前記プラズマイオン化ユニットはマイクロ波プラズマイオン源である、
請求項１記載の装置。
【請求項４】
前記プラズマイオン化ユニットはレーザプラズマイオン源である、
請求項１記載の装置。
【請求項５】
前記信号遅延装置は、複数のトリガパルスを同時に処理可能なオーバラップした信号遅延装置である、
請求項１から４までのいずれか１項記載の装置。
【請求項６】
局所化された前記分析物部位の生成は、前記トリガパルスによって制御される、
請求項１から５までのいずれか１項記載の装置。
【請求項７】
前記トリガパルスは、前記質量分析器を制御するタイミング発生器によって生成され、前記部位発生器および前記信号遅延装置へ供給される、
請求項１から５までのいずれか１項記載の装置。
【請求項８】
前記トリガパルスに対応する前記遅延された信号を前記質量分析器の前記データ収集エレクトロニクスデバイスへ供給するために、前記信号遅延装置は該データ収集エレクトロニクスデバイスと接続されている、
請求項１から７までのいずれか１項記載の装置。
【請求項９】
前記データ収集エレクトロニクスデバイスは、前記部位発生器による局所化された前記分析物部位の各生成とデータ収集とを、各分析物部位の正確な時間および位置ならびに各分析物部位に対応するデータに基づいて同期させるように制御される、
請求項８記載の装置。
【請求項１０】
前記データ収集エレクトロニクスデバイスにおいて受信された前記遅延された信号により、データ収集がイネーブルにされる、
請求項８または９記載の装置。
【請求項１１】
前記データ収集エレクトロニクスデバイスにおいて受信された前記遅延された信号は、ある特定の分析物部位に対応するデータにタグ付けするために、該データ収集エレクトロニクスデバイスにより生成されるデータストリーム中のタグとして用いられる、
請求項８または９記載の装置。
【請求項１２】
前記遅延された信号は前記質量分析器へ供給され、該質量分析器をイネーブルにするために用いられる、
請求項１から７までのいずれか１項記載の装置。
【請求項１３】
前記部位発生器はレーザアブレーション装置であり、前記トリガパルスはレーザトリガパルスであり、局所化された前記分析物部位はエアロゾルのパルスである、
請求項１から１２までのいずれか１項記載の装置。
【請求項１４】
前記部位発生器は小液滴発生器であり、局所化された前記分析物部位は、前記トリガパルスによりトリガされて、前記小液滴発生器により要求に応じて生成される単一小液滴である、
請求項１から１２までのいずれか１項記載の装置。
【請求項１５】
前記質量分析器は、飛行時間型質量分析器である、
請求項１から１４までのいずれか１項記載の装置。
【請求項１６】
前記搬送システムは、収集容器と搬送チューブとを含む空気式システムであり、前記搬送チューブの出力側は、前記プラズマイオン化ユニットのガス入力側と接続されている、
請求項１から１５までのいずれか１項記載の装置。
【請求項１７】
前記信号遅延装置は遅延線を含む、
請求項５から１６までのいずれか１項記載の装置。
【請求項１８】
前記遅延線はディジタル遅延線である、
請求項１７記載の装置。
【請求項１９】
前記ディジタル遅延線はソフトウェアとして実現されている、
請求項１８記載の装置。
【請求項２０】
トリガパルスに基づきタイムスタンプを生成し、
前記タイムスタンプをＦＩＦＯバッファへ供給し、
前記タイムスタンプを前記ＦＩＦＯバッファから読み出し、
読み出されたタイムスタンプにユーザ定義可能な遅延を加えたものが、現在時間と一致しているならば、出力信号を生成する、
ようにプロセッサがプログラミングされている、
請求項１９記載の装置。
【請求項２１】
トリガパルスを受け取るたびに１つの信号をＦＩＦＯバッファへ供給するように、プロセッサがプログラミングされており、前記ＦＩＦＯバッファの長さは、クロックサイクルとしてユーザ定義可能な遅延と一致するように選定されており、
１つのクロックサイクルのたびに１つのポジションだけ前記ＦＩＦＯバッファのエントリを伝搬させるように、前記プロセッサがプログラミングされており、１つの信号が前記ＦＩＦＯバッファの出力側に到達するたびに、１つの出力信号が生成される、
請求項１９記載の装置。
【請求項２２】
前記信号遅延装置は、前記トリガパルスと前記質量分析器の入口における対応するイオンの出現との間の信号遅延を考慮し、前記信号遅延装置は、前記信号遅延が部位生成イベント間の時間よりも長い状況に対処し得る、
請求項５記載の装置。
【請求項２３】
マススペクトロメトリーのための方法であって、該方法は、
・トリガパルスにより制御して、局所化された分析物部位を生成するステップと、
・局所化された前記分析物部位をプラズマイオン化ユニットへ搬送するステップと、
・前記プラズマイオン化ユニットにより、受け取った分析物部位を気化、霧化およびイオン化するステップと、
・質量分析器により、受け取った前記分析物部位のイオン化された元素含有物を処理するステップであって、処理された分析物を検出器において検出するステップを含むステップと、
・前記検出器から受け取った信号を収集し、収集した該信号を分析するステップと、
を含む、マススペクトロメトリーのための方法において、
・遅延装置によりトリガパルスを受け取るステップと、
・前記トリガパルスに対応する遅延された信号を生成するステップと、
・局所化された分析物部位の生成と検出との間で分析すべきエアロゾルに生じる遅延を考慮するために、前記遅延された信号を収集された信号の分析に含めるステップと、
を含むことを特徴とする、
マススペクトロメトリーのための方法。
【請求項２４】
前記遅延された信号を前記収集された信号の分析に含める前記ステップにおいて、データ収集が、各分析物部位の正確な時間および位置ならびに各分析物部位に対応するデータに基づいて、前記分析物部位の各生成に同期させられる、
請求項２３記載の方法。
【請求項２５】
信号遅延は部位生成イベント間の時間よりも長く、前記遅延装置は同時に複数のトリガパルスを処理する、
請求項２３または２４記載の方法。
【請求項２６】
局所化された前記分析物部位は、レーザアブレーションによって生成されるエアロゾルのパルスであり、前記トリガパルスはレーザトリガパルスである、
請求項２３から２５までのいずれか１項記載の方法。
【請求項２７】
局所化された前記分析物部位は、前記トリガパルスによってトリガされて、小液滴発生器により要求に応じて生成される単一小液滴である、
請求項２３から２５までのいずれか１項記載の方法。